(57)【要約】【課題】低コストで無線とＰＬＣ両方の通信に対応できる制御装置、通信システム及び制御方法を提供することである。【解決手段】ホームゲートウェイ１０は、媒体Ａにより、スマートメータ３０または該スマートメータ３０と媒体Ｂにより通信接続される変換アダプタ２０と通信を行う通信部１１と、媒体Ａにより変換アダプタ２０と通信接続する際に、自装置または変換アダプタ２０のいずれか一方から他方へ認証に関する認証情報が送信され、該認証情報に基づく認証が成功した場合には、変換アダプタ２０を介してスマートメータ３０と通信を確立するように制御する通信制御部１２ｂとを具備する。【選択図】図１
2017063341.tif 000002
【特許請求の範囲】
【請求項１】
第一の通信方式により、接続先機器または該接続先機器と第二の通信方式により通信接続されるアダプタと通信を行う通信部と；
前記第一の通信方式により前記アダプタと通信接続する際に、自装置または前記アダプタのいずれか一方から他方へ認証に関する認証情報が送信され、該認証情報に基づく認証が成功した場合には、前記アダプタを介して前記接続先機器と通信を確立するように制御する通信制御部と；
を具備する制御装置。
【請求項２】
所定の周波数にてペアリングＩＤを含む情報を前記アダプタに送信し、該アダプタから応答を受信すると、自装置から前記アダプタへ前記認証情報を送信して認証を要求する認証要求部をさらに具備し、
前記通信制御部は、前記認証要求部によって送信された認証情報に基づく認証が成功した場合には、前記アダプタを介して前記接続先機器と通信を確立するように制御する請求項１に記載の制御装置。
【請求項３】
所定の周波数にてペアリングＩＤを含む情報を前記アダプタから受信すると該アダプタへ応答を送信し、前記アダプタから前記認証情報を受信した場合には、該認証情報を用いて認証を行う認証処理部をさらに具備し、
前記通信制御部は、前記認証処理部によって認証が成功した場合には、前記アダプタを介して前記接続先機器と通信を確立するように制御する請求項１に記載の制御装置。
【請求項４】
接続先機器と、アダプタと、前記接続先機器または前記アダプタと通信を行う制御装置とを有する通信システムであって、
前記制御装置が、
第一の通信方式により、前記接続先機器または該接続先機器と第二の通信方式により通信接続される前記アダプタと通信を行う通信部と；
前記第一の通信方式により前記アダプタと通信接続する際に、自装置または前記アダプタのいずれか一方から他方へ認証に関する認証情報が送信され、該認証情報に基づく認証が成功した場合には、前記アダプタを介して前記接続先機器と通信を確立するように制御する通信制御部と；
を具備する通信システム。
【請求項５】
制御装置によって実行される制御方法であって、
前記制御装置が、第一の通信方式により、接続先機器または該接続先機器と第二の通信方式により通信接続されるアダプタと通信を行う通信部を具備し、
前記第一の通信方式により前記アダプタと通信接続する際に、自装置または前記アダプタのいずれか一方から他方へ認証に関する認証情報が送信され、該認証情報に基づく認証が成功した場合には、前記アダプタを介して前記接続先機器と通信を確立するように制御する通信制御ステップ；
を含んだ制御方法。
【発明の詳細な説明】
【技術分野】
【０００１】
本発明の実施形態は、制御装置、通信システム及び制御方法に関する。
【背景技術】
【０００２】
通信機能を有する電力メータから電力線通信によって受信した電力線通信信号を、無線通信によって所定装置へ送信するＰＬＣが知られている。
【先行技術文献】
【特許文献】
【０００３】
【特許文献１】特開２０１４−５７２１３号公報
【発明の概要】
【発明が解決しようとする課題】
【０００４】
ところで、スマートメータは、通信環境に応じて無線または電力線通信（ＰＬＣ：Power  Line  Communication）のいずれかに対応したものが設置されるが、これに接続されるホームゲートウェイ（ＨＧＷ：Home  Gateway）側で無線とＰＬＣ両方の通信方式に対応するのはコストが増大するという課題がある。
【０００５】
本発明は、低コストで無線とＰＬＣ両方の通信に対応できる制御装置、通信システム及び制御方法を提供することである。
【課題を解決するための手段】
【０００６】
実施形態の制御装置は、第一の通信方式により、接続先機器または該接続先機器と第二の通信方式により通信接続されるアダプタと通信を行う通信部と、前記第一の通信方式により前記アダプタと通信接続する際に、自装置または前記アダプタのいずれか一方から他方へ認証に関する認証情報が送信され、該認証情報に基づく認証が成功した場合には、前記アダプタを介して前記接続先機器と通信を確立するように制御する通信制御部とを具備する。
【発明の効果】
【０００７】
実施形態に係る制御装置、通信システム及び制御方法によれば、低コストで無線とＰＬＣ両方の通信に対応できる。
【図面の簡単な説明】
【０００８】
【図１】図１は、第１の実施形態に係る通信システムの一例の概要を示す図である。
【図２】図２は、第１の実施形態に係るホームゲートウェイの構成の一例を示す図である。
【図３】図３は、第１の実施形態に係る通信情報記憶部に記憶される情報の一例を説明する図である。
【図４】図４は、第１の実施形態に係る通信システムにおける通信確立処理の流れの一例を示すシーケンス図である。
【図５】図５は、第２の実施形態に係るホームゲートウェイの構成の一例を示す図である。
【図６】図６は、第２の実施形態に係る通信システムにおける通信確立処理の流れの一例を示すシーケンス図である。
【図７】図７は、変換アダプタ故障時の再接続処理の一例を説明する図である。
【図８】図８は、ホームゲートウェイ故障時の再接続処理の一例を説明する図である。
【０００９】
以下で説明する実施形態に係る制御装置は、第一の通信方式により、接続先機器または該接続先機器と第二の通信方式により通信接続されるアダプタと通信を行う通信部と、第一の通信方式によりアダプタと通信接続する際に、自装置またはアダプタのいずれか一方から他方へ認証に関する認証情報が送信され、該認証情報に基づく認証が成功した場合には、アダプタを介して接続先機器と通信を確立するように制御する通信制御部とを具備する。
【００１０】
また、実施形態に係る制御装置は、所定の周波数にてペアリングＩＤを含む情報をアダプタに送信し、該アダプタから応答を受信すると、自装置からアダプタへ認証情報を送信して認証を要求する認証要求部をさらに具備する。通信制御部は、認証要求部によって送信された認証情報に基づく認証が成功した場合には、アダプタを介して接続先機器と通信を確立するように制御する。
【００１１】
また、実施形態に係る制御装置は、所定の周波数にてペアリングＩＤを含む情報をアダプタから受信すると該アダプタへ応答を送信し、アダプタから認証情報を受信した場合には、該認証情報を用いて認証を行う認証処理部をさらに具備する。通信制御部は、認証処理部によって認証が成功した場合には、アダプタを介して接続先機器と通信を確立するように制御する。
【００１２】
また、実施形態に係る通信システムは、接続先機器と、アダプタと、接続先機器またはアダプタと通信を行う制御装置とを有する通信システムであって、制御装置が、第一の通信方式により、接続先機器または該接続先機器と第二の通信方式により通信接続されるアダプタと通信を行う通信部と、第一の通信方式によりアダプタと通信接続する際に、自装置またはアダプタのいずれか一方から他方へ認証に関する認証情報が送信され、該認証情報に基づく認証が成功した場合には、アダプタを介して接続先機器と通信を確立するように制御する通信制御部とを具備する。
【００１３】
また、実施形態に係る制御方法は、制御装置によって実行される制御方法であって、制御装置が、第一の通信方式により、接続先機器または該接続先機器と第二の通信方式により通信接続されるアダプタと通信を行う通信部を具備し、第一の通信方式によりアダプタと通信接続する際に、自装置またはアダプタのいずれか一方から他方へ認証に関する認証情報が送信され、該認証情報に基づく認証が成功した場合には、アダプタを介して接続先機器と通信を確立するように制御する通信制御ステップを含む。
【００１４】
［第一の実施形態］
以下に、本発明にかかる制御装置、通信システム及び制御方法の実施形態を図面に基づいて詳細に説明する。
【００１５】
［通信制御システムの構成の一例］
図１は、通信システム１００の一例の概要を示す図である。図１を参照し、実施形態に係る制御装置であるホームゲートウェイ１０を含む通信システム１００の一例につき説明する。図１に示す実施形態に係る通信システム１００は、ホームゲートウェイ１０と、変換アダプタ２０と、スマートメータ３０Ａ、３０Ｂとを有する。なお、図１に例示した各装置の数は一例であり、これに限定されるものではない。なお、スマートメータ３０Ａ、３０Ｂを特に区別なく説明する場合には、スマートメータ３０と記載する。
【００１６】
ホームゲートウェイ１０は、ＨＥＭＳ（（Home  Energy  Management  System））のコントロールを行う制御装置であり、家電等の機器の状態を取得したり、各機器に対する制御指令を出したりする。また、ホームゲートウェイ１０は、Ｗｉ−ＳＵＮ規格に準拠した９２０ＭＨｚを通信媒体（以下、適宜「媒体Ａ）と記載する）として使用することで、変換アダプタ２０またはスマートメータ３０との間で通信を行う。ここで、ホームゲートウェイ１０は、Ｗｉ−ＳＵＮ規格に準拠した９２０ＭＨｚを通信媒体として使用するための通信ＩＦ（Interface）を有する。
【００１７】
変換アダプタ２０は、Ｗｉ−ＳＵＮ規格に準拠した９２０ＭＨｚを通信媒体（図では、媒体Ａと記載）として使用することで、ホームゲートウェイ１０との間で通信を行う。また、変換アダプタ２０は、Ｇ３−ＰＬＣ規格に準拠したＰＬＣを通信媒体（以下、適宜「媒体Ｂ」と記載する）として使用することで、スマートメータ３０との間で通信を行う。
【００１８】
スマートメータ３０は、家電等の機器が使用した電力である電力使用量を計測する装置であって、ホームゲートウェイ１０の通信相手となる接続先機器である。図１に例示するように、スマートメータ３０Ａに対しては、ホームゲートウェイ１０は媒体Ａを用いて接続する。また、スマートメータ３０Ｂに対しては、ホームゲートウェイ１０は媒体Ａを用いて変換アダプタ２０と接続し、変換アダプタ２０が媒体Ｂへ中継処理を施しスマートメータＢと接続する。
【００１９】
上述したように、ホームゲートウェイ１０は、媒体Ａを使用するための通信ＩＦのみを有し、媒体Ｂを使用するための通信ＩＦを有さないものとする。また、変換アダプタ２０は、媒体Ａおよび媒体Ｂの通信ＩＦがそれぞれ搭載されているものとする。なお、スマートメータ３０Ａは、媒体Ａを使用するための通信ＩＦのみが搭載され、スマートメータ３０Ｂは、媒体Ｂを使用するための通信ＩＦのみが搭載されているものとする。
【００２０】
［ホームゲートウェイの構成の一例］
図２を参照し、ホームゲートウェイ１０の構成について説明する。図２は、ホームゲートウェイの構成の一例を示す図である。ホームゲートウェイ１０は、通信部１１と、制御部１２と、記憶部１３と、を備える。
【００２１】
通信部１１は、変換アダプタ２０またはスマートメータ３０と通信を行う通信ＩＦである。具体的には、通信部１１は、Ｗｉ−ＳＵＮ規格に準拠した９２０ＭＨｚを使用した通信により、スマートメータ３０、または、スマートメータ３０とＰＬＣにより通信接続される変換アダプタ２０と通信を行う。
【００２２】
記憶部１３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１３は、通信情報記憶部１３ａを有する。
【００２３】
通信情報記憶部１３ａは、通信に関する情報を記憶する。例えば、図３に例示するように、通信情報記憶部１３ａは、通信相手と通信する場合に、通信に使用する「周波数帯」と、「ＰＡＮ（Personal  Area  Network）ＩＤ」と、通信相手の「ＭＡＣアドレス」とを対応付けて記憶する。
【００２４】
制御部１２は、例えば、ＡＳＩＣ（Application  Specific  Integrated  Circuit）やＦＰＧＡ（Field  Programmable  Gate  Array）等の集積回路により実現される。また、制御部１２は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。かかる制御部１２は、認証要求部１２ａと、通信制御部１２ｂとを有する。
【００２５】
認証要求部１２ａは、所定の周波数にてペアリングＩＤを含む情報を変換アダプタ２０に送信し、該変換アダプタ２０から応答を受信すると、自装置から変換アダプタ２０へ認証情報を送信して認証を要求する。
【００２６】
通信制御部１２ｂは、媒体Ａにより変換アダプタ２０と通信接続する際に、自装置または変換アダプタ２０のいずれか一方から他方へ認証に関する認証情報が送信され、該認証情報に基づく認証が成功した場合には、変換アダプタ２０を介してスマートメータ３０と通信を確立するように制御する。具体的には、通信制御部１２ｂは、認証要求部１２ａによって送信された認証情報に基づく認証が成功した場合には、変換アダプタ２０を介してスマートメータ３０と通信を確立するように制御する。
【００２７】
ここで、ホームゲートウェイ１０が、媒体Ａ用の通信ＩＦを持つスマートメータ３０Ａと接続する動作例の概要を説明する。まず、ホームゲートウェイ１０は、Ｗｉ−ＳＵＮ  Ｂルートによって規定される手順に従い、スマートメータ３０Ａが管理するペアリングＩＤ＿１を指定して無線上の各周波数帯へスキャンを実施する。そして、スマートメータ３０Ａは、自身が管理する周波数帯（チャネルＸ）にて、ペアリングＩＤ＿１を有するスキャンを受信すると、自身のＭＡＣアドレス１やＰＡＮＩＤ＿１を含む応答をホームゲートウェイ１０へ返信する。ホームゲートウェイ１０は、スマートメータ３０Ａからの応答を受信し、今後通信に使用するチャネルＸ、ＰＡＮＩＤ＿１、スマートメータ３０ＡのＭＡＣアドレス１を記録する。以降、ホームゲートウェイ１０は、チャネルＸ、ＰＡＮＩＤ＿１に対して、ＭＡＣアドレス１に対応するＩＰｖ６リンクローカルアドレス１を指定して、通信を開始する。
【００２８】
［通信システムの処理手順］
次に、図４を参照して、ホームゲートウェイ１０が、媒体Ｂ用の通信ＩＦを持つスマートメータ３０Ｂと接続する動作例を説明する。図４は、第１の実施形態に係る通信システムにおける通信確立処理の流れの一例を示すシーケンス図である。一般的に、媒体Ｂ用の通信ＩＦを有するスマートメータ３０Ｂと通信する場合、ホームゲートウェイ１０が媒体Ｂ用の通信ＩＦを搭載すれば良いが、ここでは、ホームゲートウェイ１０のコスト制約により媒体Ａ用の通信ＩＦしか搭載できないときに、変換アダプタ２０を介して動作する例を示す。また、第１の実施形態では、変換アダプタ２０とホームゲートウェイ１０との間では、Ｗｉ−ＳＵＮ  Ｂルート仕様を活用し、変換アダプタ２０を親機、ホームゲートウェイ１０を子機とした場合の動作例を説明する。
【００２９】
なお、以下に説明する処理を行う前に、変換アダプタ２０は、Ｇ３−ＰＬＣによって規定される手順に従い、スマートメータ３０Ｂを検知し、両者での接続を事前に確立しているものとする。実際にはセキュア通信の確立に必要な、ＩＤとパスワードをスマートメータ３０Ｂと変換アダプタ２０が事前共有することが必要となる。スマートメータ３０Ｂにはあらかじめ、ＩＤ＿２とパスワード２が格納されているとする。この場合、変換アダプタ２０に対してＩＤ＿２とパスワード２を設定することが必要となる。
【００３０】
図４に示すように、ホームゲートウェイ１０は、媒体Ｂでのチャネルスキャンを実施する（ステップＳ１０１）。具体的には、ホームゲートウェイ１０は、Ｗｉ−ＳＵＮ  Ｂルートによって規定される手順に従い、変換アダプタ２０が管理するペアリングＩＤ＿２を指定して無線上の各周波数帯へスキャンを実施する。
【００３１】
そして、変換アダプタ２０は、チャネル応答に変換アダプタフラグを追加して返信する（ステップＳ１０２）。具体的には、変換アダプタ２０は、自身が管理する周波数帯（チャネルＲ）にて、ペアリングＩＤ＿Ｒを有するスキャンを受信すると、自身のＭＡＣアドレスＲやＰＡＮＩＤ＿Ｒを含む応答をホームゲートウェイ１０へ返信する。
【００３２】
続いて、ホームゲートウェイ１０は、Ｗｉ−ＳＵＮ  Ｂルートで通信を確立するためのＢ用クレデンシャルを変換アダプタ２０に送信して、媒体Ｂをセキュア接続する（ステップＳ１０３）。具体的には、ホームゲートウェイ１０は、変換アダプタ２０からの応答を受信し、今後通信に使用するチャネルＲ、ＰＡＮＩＤ＿Ｒ、変換アダプタ２０のＭＡＣアドレスＲを記録する。以降、ホームゲートウェイ１０は、チャネルＲ、ＰＡＮＩＤ＿Ｒに対して、ＭＡＣアドレスＲに対応するＩＰｖ６リンクローカルアドレスＲ（図４では、Ｂ用クレデンシャルと記載）を指定して、セキュア通信の確立シーケンスを開始する。
【００３３】
具体的には、ＲＦＣ  ５１９１（Protocol  for  Carrying  Authentication  for  Network  Access）の手順に従い、ＥＡＰ−ＰＳＫを使用し、変換アダプタ２０に接続するためのＩＤ＿ＲとパスワードＲを事前にホームゲートウェイ１０に入力し、共通鍵を生成することで、互いの認証や暗号化通信（セキュア通信）をホームゲートウェイ１０から変換アダプタ２０へ対して確立する。
【００３４】
セキュア通信路が確立できた後、ホームゲートウェイ１０は、セキュア通信路上にて、スマートメータ３０Ｂ用のＩＤ＿２とパスワード２を含む任意のパケット（図４では、Ａ用クレデンシャルと記載）を変換アダプタ２０へ送信する（ステップＳ１０４）。
【００３５】
そして、変換アダプタ２０は、ホームゲートウェイ１０からセキュア通信路上にて上記パケットを受信し、ＩＤ＿２とパスワード２を使用してスマートメータ３０Ｂへのセキュア通信を確立する（ステップＳ１０５）。
【００３６】
その後、ホームゲートウェイ１０から変換アダプタ２０を介し、スマートメータ３０Ｂへセキュア通信を開始する（ステップＳ１０６）。変換アダプタ２０は、以降、ホームゲートウェイ１０からの通信パケットをスマートメータ３０Ｂへ、スマートメータ３０Ｂからの通信パケットをホームゲートウェイ１０へ中継するパケット変換処理を行う。この変換処理は、パケットの復号、パケット変換、暗号を行い転送する。パケット変換は、アダプテーション層、ネットワーク層、トランスポート層、アプリケーション層のいずれのレイヤで実施しても良い。
【００３７】
［第１の実施形態の効果］
このように、第１の実施形態に係るホームゲートウェイ１０は、媒体Ａにより、スマートメータ３０または該スマートメータ３０と媒体Ｂにより通信接続される変換アダプタ２０と通信を行う通信部１１と、媒体Ａにより変換アダプタ２０と通信接続する際に、自装置または変換アダプタ２０のいずれか一方から他方へ認証に関する認証情報が送信され、該認証情報に基づく認証が成功した場合には、変換アダプタ２０を介してスマートメータ３０と通信を確立するように制御する通信制御部１２ｂとを具備する。このため、ホームゲートウェイ１０は、例えば、媒体Ａの通信ＩＦのみを搭載すればよく、媒体Ｂで通信を行う場合には、変換アダプタ２０を介してスマートメータ３０と通信を行うので、低コストで無線とＰＬＣ両方の通信に対応することが可能である。
【００３８】
［第２の実施形態］
上述の第１の実施形態では、変換アダプタ２０とホームゲートウェイ１０との間では、Ｗｉ−ＳＵＮ  Ｂルート仕様を活用し、変換アダプタ２０を親機、ホームゲートウェイ１０を子機とした場合の動作例を説明したが、これに限定されるものではなく、Ｗｉ−ＳＵＮ  ＨＡＮ仕様を活用し、変換アダプタ２０を子機、ホームゲートウェイ１０を親機としてもよい。そこで、以下の第２の実施形態の説明では、Ｗｉ−ＳＵＮ  ＨＡＮ仕様を活用し、変換アダプタ２０を子機、ホームゲートウェイ１０を親機とした場合について説明する。なお、以下の第２の実施形態の説明では、第１の実施形態と同様の構成および処理の説明は省略する。
【００３９】
まず、図５を用いて、第２の実施形態に係るホームゲートウェイ１０Ａの構成について説明する。図５は、第２の実施形態に係るホームゲートウェイの構成の一例を示す図である。図５に示すように、ホームゲートウェイ１０Ａは、図２に示したホームゲートウェイ１０と比較して、認証要求部１２ａの代わりに認証処理部１２ｃを有する点が異なる。
【００４０】
認証処理部１２ｃは、所定の周波数にてペアリングＩＤを含む情報を変換アダプタ２０から受信すると該変換アダプタ２０へ応答を送信し、変換アダプタ２０から認証情報を受信した場合には、該認証情報を用いて認証を行う。
【００４１】
通信制御部１２ｂは、認証処理部１２ｃによって認証が成功した場合には、変換アダプタ２０を介してスマートメータ３０と通信を確立するように制御する。
【００４２】
次に、図６を参照して第２の実施形態に係る通信システムにおける通信確立処理の流れの一例を説明する。図６は、第２の実施形態に係る通信システムにおける通信確立処理の流れの一例を示すシーケンス図である。以下の説明では、ホームゲートウェイ１０Ａがスマートメータ３０Ｂへ接続する動作例を説明する。
【００４３】
図６に示すように、変換アダプタ２０は、Ｗｉ−ＳＵＮ  ＨＡＮによって規定される手順に従い、ホームゲートウェイ１０Ａが初期動作にて管理するデフォルトのペアリングＩＤ＿Ｘ（初期化時のみ固定）を指定して無線上の各周波数帯へスキャンを実施する（ステップＳ２０１）。
【００４４】
そして、ホームゲートウェイ１０Ａは、自身が管理する周波数帯（チャネルＲ）にて、ペアリングＩＤ＿Ｘを有するスキャンを受信すると、自身のＭＡＣアドレスＲやＰＡＮＩＤ＿Ｈを含む応答を変換アダプタ２０へ返信する（ステップＳ２０２）。
【００４５】
そして、変換アダプタ２０は、ホームゲートウェイ１０Ａからの応答を受信し、今後通信に使用するチャネルＨ、ＰＡＮＩＤ＿Ｈ、ホームゲートウェイ１０ＡのＭＡＣアドレスＨを記録する。以降、変換アダプタ２０は、チャネルＨ、ＰＡＮＩＤ＿Ｈに対して、ＭＡＣアドレスＨに対応するＩＰｖ６リンクローカルアドレスＨを指定して（ステップＳ２０３）、セキュア通信の確立シーケンスを開始する。具体的には、ＲＦＣ  ５１９１（Protocol  for  Carrying  Authentication  for  Network  Access）の手順に従い、ＥＡＰ−ＰＳＫを使用し、変換アダプタ２０と接続するためのＩＤ＿ＨとパスワードＨを事前にホームゲートウェイ１０Ａに入力し、共通鍵を生成することで、互いの認証や暗号化通信（セキュア通信）を変換アダプタ２０からホームゲートウェイ１０Ａに対して確立する。第２の実施形態ではホームゲートウェイ１０Ａと変換アダプタ２０とのセキュア通信に必要なＩＤとパスワードは変換アダプタ２０が事前に保持し、ホームゲートウェイ１０Ａにて入力するという手順であったが、第２の実施形態においても同様となるものの、認証元と認証先が逆となる。
【００４６】
セキュア通信路が確立できた後、ホームゲートウェイ１０Ａは、セキュア通信路上にて、スマートメータ３０Ｂ用のＩＤ＿２とパスワード２を含む任意のパケットを変換アダプタ２０へ送信する（ステップＳ２０４）。
【００４７】
そして、変換アダプタ２０は、ホームゲートウェイ１０Ａからセキュア通信路上にて上記パケットを受信し（ステップＳ２０５）、ＩＤ＿２とパスワード２を使用してスマートメータ３０Ｂへのセキュア通信を確立する（ステップＳ２０６）。
【００４８】
その後、ホームゲートウェイ１０Ａから変換アダプタ２０を介し、スマートメータ３０Ｂへセキュア通信を開始する（ステップＳ２０７）。変換アダプタ２０は、以降、ホームゲートウェイ１０Ａからの通信パケットをスマートメータ３０Ｂへ、スマートメータ３０Ｂからの通信パケットをホームゲートウェイ１０Ａへ中継するパケット変換処理を行う。この変換処理は、パケットの復号、パケット変換、暗号を行い転送する。パケット変換は、アダプテーション層、ネットワーク層、トランスポート層、アプリケーション層のいずれのレイヤで実施しても良い。
【００４９】
このように、第２の実施形態に係るホームゲートウェイ１０Ａでは、所定の周波数にてペアリングＩＤを含む情報を変換アダプタ２０から受信すると変換アダプタ２０へ応答を送信し、変換アダプタ２０から認証情報を受信した場合には、該認証情報を用いて認証を行う認証処理部１２ｃをさらに具備する。そして、通信制御部１２ｂは、認証処理部１２ｃによって認証が成功した場合には、変換アダプタ２０を介してスマートメータ３０と通信を確立するように制御する。このため、Ｗｉ−ＳＵＮ  ＨＡＮ仕様を活用し、変換アダプタ２０を子機、ホームゲートウェイ１０を親機とした上で、低コストで無線とＰＬＣ両方の通信に対応することが可能である。
【００５０】
［その他の実施形態］      
また、変換アダプタ２０やホームゲートウェイ１０が電源ＯＦＦとなった場合には、再接続処理を行う。例えば、図７に例示するように、変換アダプタ２０が電源ＯＦＦとなり、その後電源がＯＮになった場合には、変換アダプタ２０は、Ａ用クレデンシャルとして、ＩＤ＿２とパスワード２を含む任意のパケットをスマートメータ３０Ｂへ送信する。その後、ホームゲートウェイ１０は、Ｗｉ−ＳＵＮ  Ｂルートで通信を確立するためのＢ用クレデンシャルを変換アダプタ２０に送信して、媒体Ｂをセキュア接続する。
【００５１】
また、図８に例示するように、ホームゲートウェイ１０が電源ＯＦＦとなり、その後電源がＯＮになった場合には、ホームゲートウェイ１０は、Ｗｉ−ＳＵＮ  Ｂルートで通信を確立するためのＢ用クレデンシャルを変換アダプタ２０に送信した後、Ａ用クレデンシャルとして、ＩＤ＿２とパスワード２を含む任意のパケットを変換アダプタ２０を介してスマートメータ３０Ｂへ送信する。
【００５２】
［プログラム］
なお、ホームゲートウェイ１０は、例えば、汎用のコンピュータ装置を基本ハードウェアとして実現することが可能である。すなわち、認証要求部１２ａ、通信制御部１２ｂ、認証処理部１２ｃは、上記のコンピュータ装置に搭載されたプロセッサにプログラムを実行させることにより実現することができる。認証要求部１２ａ、通信制御部１２ｂ、認証処理部１２ｃは、例えば、ＣＰＵ（Central  Processing  Unit）などの処理装置にプログラムを実行させること、すなわち、ソフトウェアにより実現してもよいし、ＩＣ（Integrated  Circuit）などのハードウェアにより実現してもよいし、ソフトウェアおよびハードウェアを併用して実現してもよい。
【００５３】
このとき、ホームゲートウェイ１０は、上記のプログラムをコンピュータ装置にあらかじめインストールすることで実現してもよいし、ネットワークを介して上記のプログラムを配布して、このプログラムをコンピュータ装置に適宜インストールすることで実現してもよい。また、認証要求部１２ａ、通信制御部１２ｂ、認証処理部１２ｃは、上記のコンピュータ装置に内蔵あるいは外付けされたメモリやハードディスクなどの記憶媒体などを適宜利用して実現することができる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１０  ホームゲートウェイ
１１  通信部
１２  制御部
１２ａ  認証要求部
１２ｂ  通信制御部
１２ｃ  認証処理部
１３  記憶部
１３ａ  通信情報記憶部
２０  変換アダプタ
３０Ａ、３０Ｂ  スマートメータ
１００  通信システム
【図１】
2017063341.tif 000003
【図２】
2017063341.tif 000004
【図３】
2017063341.tif 000005
【図４】
2017063341.tif 000006
【図５】
2017063341.tif 000007
【図６】
2017063341.tif 000008
【図７】
2017063341.tif 000009
【図８】
2017063341.tif 000010